(57)【要約】      （修正有）【課題】認知症老人や手の不自由な人が、プレススルーパックに包蔵した錠剤を取出し、服用するのが困難な場合でも容易に取り出せる開封治具を提供する。【解決手段】プレススルーパックのアルミ箔底蓋のポケット４の折れ線位置近傍から、ポケット頂点方向に折り曲げ、突起部９の手段によってアルミ箔の蓋を開封して、ポケット内に包蔵していた錠剤１９を排出するものである。【選択図】図１
2020117307.tif 000002
【特許請求の範囲】
【請求項１】
錠剤を包蔵するＰＴＰ基台を、折曲げアームに挿設したスリットに挿入して湾曲ゲートで位置決めし、押え板でＰＴＰ基台を蓋受けベースに圧接し、折曲げアームを、弾装曲成溝を軸にＪ字状にポケットの頂点方向へ反復自在に折り曲げを可能とし、突起部の手段でポケットに包蔵した錠剤の底蓋であるアルミ箔等の蓋を開封し、ポケットに包蔵する錠剤を排出口から排出する事を特徴としたプレススルーパック開封治具。
【請求項２】
前記請求項１のプレススルーパック開封治具において、プレススルーパックの底蓋が、チャイルドレジスタンス機能を有したものや湿気等で開封が困難な場合、押え板でＰＴＰ基台を蓋受けベースに圧接し、折曲アームを、弾装曲成溝を軸にポケットの頂点方向へＪ字状に折り曲げ、突起部の手段で簡単に底蓋を開封し、ポケットに包蔵する錠剤を排出する事を特徴とプレススルーパック開封治具。
【発明の詳細な説明】
【技術分野】
【０００１】本発明は、プレススルーパックに包蔵した錠剤を、アームの手段によって開封と排出を同時にするものである。
【背景技術】
【０００２】従来は医薬包蔵のＰＴＰ開封装置として駆動源の手段によって開発されていた。例えば（特許文献１）の発明に属する（解決手段）の２行目に、一方のロール（７）に、駆動源（１０）を連動連結し各ロール（７・８）を互いに逆方向に回転させると記載されている、しかし、動力によるＰＴＰ開封装置は業務用で個人が錠剤を分割する場合には適当でなく課題がある。【０００３】また、（特許文献２）の背景技術に記載の段落（０００７）によれば、業務用として動力による医薬包蔵のＰＴＰ開封装置であり、本発明とは用途が異なり課題がある。
【先行技術文献】
【特許文献】
【０００４】
【特許文献１】実開  平０４−０００８４７号公報
【特許文献２】特開  ２０１０−００６３８２号公報
【０００５】
【非特許文献１】社団法人日本包装協会編２００６年１０月号９３〜９４頁
【発明の概要】
【発明が解決しようとする課題】
【０００６】老人や手の不自由な人がプレススルーパック（以降ＰＴＰと称する）に包蔵した錠剤を服用するのに困難をきたし課題がある。
【課題を解決するための手段】
【０００７】錠剤の外形が円形または長方形の寸法が大小と異なった錠剤をポケットに包蔵したＰＴＰ基台を、折曲げアームに挿設したスリットに挿入することで自働的に湾曲ゲートで位置決めし、蓋受けベースと押え板でＰＴＰ基台を圧接して折曲げアームを、弾装曲成溝を軸にポケットの頂点方向え反復自在にＪ字状に折り曲げを可能とし、前記折り曲げアームに凸設した突起部の手段でポケットに包蔵した錠剤のアルミ箔等の蓋を、破断してポケットに包蔵する錠剤を排出口から排出する。【０００８】プレススルーパックの底蓋が、チャイルドレジスタンス機能を有し簡単に底蓋の開封が困難な場合でも、蓋受けベースと、押え板でＰＴＰ基台を蓋受けベースに圧接し、折曲げアームを、弾装曲成溝を軸にポケットの頂点方向へＪ字状に折り曲げ突起部の手段で簡単に底蓋を開封し、ポケットに包蔵する錠剤を排出する事を特徴としたプレススルーパック開封治具。
【発明の効果】
【０００９】  ＰＴＰ基台に凸設したポケットの底蓋が、チャイルドレジスタンス機能を有したものや湿気等で開封が困難の場合でも、突起部の押し出し手段によって底蓋の開封と錠剤の分割を同時にする事が出来るという効果がある。
【図面の簡単な説明】
【００１０】
【図１】開封治具の腰部の斜視図。
【図２】ＰＴＰの蓋受けベースが折り返し位置を軸に開いた斜視図。
【図３】湾曲ゲートと位置決め関係の説明図。
【図４】弾装曲成溝を軸に天方向に傾動する図
【図５】異径や形状が異なるポケットを、自働選択する図
【発明を実施するための形態】
【００１１】錠剤を包蔵するＰＴＰのポケットが、ＰＴＰ基台に凸設した異径ポケットや形状が異なるポケットを湾曲ゲートで位置決めして択一的に対応し、ＰＴＰ基台を蓋受けベース６に圧接する際、ＰＴＰ基台に凸設した隣接する未開封のポケットの逃がし水平坑を構設し弾装曲成溝を軸としてＪ字状に折曲アームを上方向に折り曲げ、ＰＴＰの底蓋を開封と同時に排出口から錠剤を排出する。また、
ＰＴＰの蓋が、チャイルドレジスタンス機能を有していても簡単に破断してポケットに包蔵する錠剤を排出する事を特徴としたプレススルーパック開封治具。
【００１２】〈第一の実施形態〉
図１〜２に示す様に、湾曲ゲート２を有する折曲アーム１５に設けたスリット５の低面と、弾装曲成溝８を介在して蓋受けベース６を連設し、前記蓋受けベース６の上面と、スリット５の低面は、同一平面上にし、ＰＴＰの挿入が素直に出来るようにし、前記連設した蓋受けベース６を、折り返し位置１８で開閉自在に曲成して押え板１３とし、湾曲ゲート２の前縁まで延設する。また前記延設した押え板１３は、折り返し位置１８から蓋受けベース６を覆い被さるように覆設し、前記押え板１３と蓋受けベース６でＰＴＰ基台７を挟み、ＰＴＰ基台７を蓋受けベース６に圧接するよう構設する。
【００１３】  前記押え板１３の先端縁が湾曲ゲート２の前縁と接する位置に突起部９を突設し、更にＰＴＰ基台７を蓋受けベース６に圧接する際、ＰＴＰ基台７に凸設した隣接する未開封のポケットの逃がし水平坑１１を構設する。前記押え板１３に設けた水平坑１１は、図３と５に示す通り、複数のポケット形状に対応する逃がし坑で、ポケット４を正面視して、ポケット４の直径寸法が大小、または長軸の楕円に形成された異なった寸法の何れにも対応出来る大きい水平坑１１を覆設する。
【００１４】  図１に示すＵ字形の弾装曲成溝８の作用は、図３の位置決めする湾曲ゲート２で、ＰＴＰ基台７に凸設した直径寸法が異なるポケット４を押し止めし、前記湾曲ゲート２とポケット４が接する一端を、折れ線位置１４とし、折り曲げベース１５が、図４に示す様に弾装曲成溝８を軸にポケットの頂点方向２０に傾動し、前記傾動に伴って弛んだＵ字形壁１２は折れ線位置１４からポケットの頂点方向に引き上げられ移行する。従って弛んだＵ字形壁１２の長さが一定しているため、弛んだＵ字形の弾装曲成溝８の壁１２は、Ｕ字形からＪ字形２１に択一的に傾き移行して弾装曲成溝８の壁１２幅が変化し、異なる直径寸法のポケットに対応する。
【００１５】  開封治具１の作用は、ＰＴＰ基台７の上面にポケット４と下面にアルミ箔の蓋１０を貼り付けたＰＴＰ基台７を、湾曲ゲート２で押し止めされるまでスリット５に挿入し、前記押え板１３と蓋受けベース６間でＰＴＰ基台７を挟接し、弾装曲成溝８を軸にポケット４の頂点方向に折曲ベース１５を傾動し、突起部９の手段によってアルミ箔蓋１０が、チャイルドレジスタンス機能を有していても開封して、ポケット４に包蔵する錠剤を弾装曲成溝８の壁１２に穿孔した排出口１７から排出する。
【００１６】  前記折り曲げベース１５は、弾装曲成溝８を軸に、ポケット４の頂点方向え反復自在に折曲可能とし、前記折曲の際ＰＴＰ基台７が摺動するのを防ぐため、前記押え板１３とスリット５に、平面ローレット等の滑止を設け前記蓋受けベース６にＰＴＰを圧接する。
弾装曲成溝８を軸にポケット４の頂点方向に折曲アーム１５を傾動し、突起部９の手段によってアルミ箔蓋１０が、チャイルドレジスタンス機能を有していても開封して、ポケット４に包蔵する錠剤を弾装曲成溝８の壁１２に穿孔した排出口１７から排出する。
【実施例】
【００１７】使用形態は錠剤１９を包蔵するポケット４を湾曲ゲート２で位置決めし、スリット１２間に挟み更に蓋受けベース６と押え板１３でＰＴＰ基台を蓋受けベース６に接圧し折曲げベース１５を、弾装曲成溝８を軸にポケット４の頂点方向え反復自在に折り曲げを可能とし、ポケットに包蔵した錠剤のアルミ箔蓋１０を、破断してポケット４に包蔵する錠剤１９を排出口１７から排出する。
【符号の説明】
【００１８】  １，開封治具
２、湾曲ゲート
３，プレススルーパック
４，ポケット
５、ＰＴＰ挿入スリット
６、蓋受けベース
７、ＰＴＰ基台
８、弾装曲成溝
９、突起部
１０、底蓋
１１、水平坑
１２、Ｕ字形の壁
１３、押え板
１４、折れ線位置
１５、折曲アーム
１６、屈曲成
１７、排出口
１８、折り返し位置
１９、錠剤
２０、頂天方向
２１、Ｊ字形
【図１】
2020117307.tif 000003
【図２】
2020117307.tif 000004
【図３】
2020117307.tif 000005
【図４】
2020117307.tif 000006
【図５】
2020117307.tif 000007